(57)【要約】【課題】誘導線の切断位置を迅速に検出することができる誘導線の断線検出装置を提供すること目的とする。【解決手段】車両の運転経路に敷設した誘導線の断線を検出する誘導線の断線検出装置において、上記誘導線に交流信号を印加する発振器と、上記誘導線に流れる電流を検出する電流計を備え、断線発生時には、上記誘導線の端部とアース間に上記発振器の出力を印加し、そのときの上記電流計の測定値に基づいて、上記誘導線の断線位置を算出するようにしたので、誘導線の断線位置を的確に検出することができるので、誘導線の復旧作業を迅速に行うことができるという効果を得る。  また、誘導線に誘導用の交流信号を出力する発振器の出力を用いて、切断位置の検出を行うので、装置コストも安いという効果も得る。【選択図】        図１
2005109818.tif 000002
【特許請求の範囲】
【請求項１】
車両の運転経路に敷設した誘導線の断線を検出する誘導線の断線検出装置において、
上記誘導線に交流信号を印加する発振器と、
上記誘導線に流れる電流を検出する電流計を備え、
断線発生時には、上記誘導線の端部とアース間に上記発振器の出力を印加し、そのときの上記電流計の測定値に基づいて、上記誘導線の断線位置を算出することを特徴とする誘導線の断線検出装置。
【請求項２】
車両の運転経路に敷設した誘導線の断線を検出する誘導線の断線検出装置において、
上記誘導線に交流信号を印加する発振器と、
上記誘導線に流れる電流を検出する電流計を備え、
断線発生時には、上記誘導線の第１の端部とアース間に上記発振器の出力を印加して、上記電流計の測定値を第１の電流測定値として検出し、
次いで、上記誘導線の第２の端部とアース間に上記発振器の出力を印加して、上記電流計の測定値を第２の電流測定値として検出し、
上記検出した第１の電流測定値と第２の電流測定値と上記誘導線の総距離に基づいて、上記誘導線の断線位置を算出することを特徴とする誘導線の断線検出装置。
【請求項３】
車両の運転経路に敷設した誘導線の断線を検出する誘導線の断線検出装置において、
上記誘導線に交流信号を印加する発振器を備え、
断線発生時には、上記誘導線の両端部を短絡した状態で当該短絡接続点とアース間に上記発振器の出力を印加し、
上記誘導線の一方の端部と発振器の間に流れる第１の電流値と上記誘導線の他方の端部と発振器の間に流れる第２の電流値と上記誘導線の総距離に基づいて、上記誘導線の断線位置を算出することを特徴とする誘導線の断線検出装置。
【請求項４】
前記断線発生時には、前記発振器は、定電圧モードで動作することを特徴とする請求項１または請求項２または請求項３記載の誘導線の断線検出装置。
【請求項５】
車両の運転経路に敷設した誘導線の断線を検出する誘導線の断線検出装置において、
上記誘導線に交流信号を印加する発振器と、
上記誘導線に流れる電流を検出する電流計と、
上記誘導線とアース間の電圧を検出する電圧計を備え、
断線発生時には、上記誘導線の第１の端部とアース間に上記発振器の出力を印加して、上記電流計の測定値を第１の電流測定値として検出するとともに、上記電圧計の測定値を第１の電圧測定値として検出し、
次いで、上記誘導線の第２の端部とアース間に上記発振器の出力を印加して、上記電流計の測定値を第２の電流測定値として検出するとともに、上記電圧計の測定値を第２の電圧測定値として検出し、
上記検出した第１の電流測定値と第１の電圧測定値と第２の電流測定値と第２の電圧測定値と上記誘導線の総距離に基づいて、上記誘導線の断線位置を算出することを特徴とする誘導線の断線検出装置。
【請求項６】
前記算出した誘導線の断線位置を表示する表示手段をさらに備えたことを特徴とする請求項１または請求項２または請求項３または請求項４または請求項５記載の誘導線の断線検出装置。
【発明の詳細な説明】
【技術分野】
【０００１】
本発明は、車両の運転経路に敷設した誘導線の断線位置を検出する誘導線の断線検出装置に関する。
【背景技術】
【０００２】
一般に、誘導車両の誘導軌道を構成する誘導線には、誘導信号として１．５ＫＨｚ（３００ｍＡ）の交流信号を印加している。また、この誘導線の延長距離は、例えば、ゴルフコースに敷設される場合、４Ｋｍ程度の長距離となる。
【０００３】
また、この誘導線は、軌道に沿って建設される誘導路に埋設されるが、種々の原因により断線が発生する場合があり、かかる断線が発生すると、誘導車両を適切に誘導することができなくなるという不具合があった。
【０００４】
従来、誘導線が切断された旨を検出するものは提案されていた（特許文献１参照）。
【特許文献１】特開平１１−１７５９０号公報
【発明の開示】
【発明が解決しようとする課題】
【０００５】
しかしながら、この従来装置では、誘導線が切断している旨を検出することはできたものの、切断位置の特定をすることができず、そのために、誘導線の切断位置を探し出す作業が必要となり、ゴルフコースに敷設された場合では、誘導線の断線位置を検出するための作業も長くなり、その結果、誘導線の復旧が遅れ、誘導車両を使えない期間が長くなるという不都合を生じていた。
【０００６】
本発明は、かかる実情に鑑みてなされたものであり、誘導線の切断位置を迅速に検出することができる誘導線の断線検出装置を提供すること目的とする。
【課題を解決するための手段】
【０００７】
本発明は、車両の運転経路に敷設した誘導線の断線を検出する誘導線の断線検出装置において、上記誘導線に交流信号を印加する発振器と、上記誘導線に流れる電流を検出する電流計を備え、断線発生時には、上記誘導線の端部とアース間に上記発振器の出力を印加し、そのときの上記電流計の測定値に基づいて、上記誘導線の断線位置を算出するようにしたものである。
【０００８】
また、車両の運転経路に敷設した誘導線の断線を検出する誘導線の断線検出装置において、上記誘導線に交流信号を印加する発振器と、上記誘導線に流れる電流を検出する電流計を備え、断線発生時には、上記誘導線の第１の端部とアース間に上記発振器の出力を印加して、上記電流計の測定値を第１の電流測定値として検出し、次いで、上記誘導線の第２の端部とアース間に上記発振器の出力を印加して、上記電流計の測定値を第２の電流測定値として検出し、上記検出した第１の電流測定値と第２の電流測定値と上記誘導線の総距離に基づいて、上記誘導線の断線位置を算出するようにしたものである。
【０００９】
また、車両の運転経路に敷設した誘導線の断線を検出する誘導線の断線検出装置において、上記誘導線に交流信号を印加する発振器を備え、断線発生時には、上記誘導線の両端部を短絡した状態で当該短絡接続点とアース間に上記発振器の出力を印加し、上記誘導線の一方の端部と発振器の間に流れる第１の電流値と上記誘導線の他方の端部と発振器の間に流れる第２の電流値と上記誘導線の総距離に基づいて、上記誘導線の断線位置を算出するようにしたものである。
【００１０】
また、前記断線発生時には、前記発振器を定電圧モードで動作する。
【００１１】
また、車両の運転経路に敷設した誘導線の断線を検出する誘導線の断線検出装置において、上記誘導線に交流信号を印加する発振器と、上記誘導線に流れる電流を検出する電流計と、上記誘導線とアース間の電圧を検出する電圧計を備え、断線発生時には、上記誘導線の第１の端部とアース間に上記発振器の出力を印加して、上記電流計の測定値を第１の電流測定値として検出するとともに、上記電圧計の測定値を第１の電圧測定値として検出し、次いで、上記誘導線の第２の端部とアース間に上記発振器の出力を印加して、上記電流計の測定値を第２の電流測定値として検出するとともに、上記電圧計の測定値を第２の電圧測定値として検出し、上記検出した第１の電流測定値と第１の電圧測定値と第２の電流測定値と第２の電圧測定値と上記誘導線の総距離に基づいて、上記誘導線の断線位置を算出するようにしたものである。
【００１２】
また、前記算出した誘導線の断線位置を表示する表示手段をさらに備えたものである。
【発明の効果】
【００１３】
したがって、本発明によれば、誘導線の断線位置を的確に検出することができるので、誘導線の復旧作業を迅速に行うことができるという効果を得る。
【００１４】
また、誘導線に誘導用の交流信号を出力する発振器の出力を用いて、切断位置の検出を行うので、装置コストも安いという効果も得る。
【発明を実施するための最良の形態】
【００１５】
以下、添付図面を参照しながら、本発明の実施の形態を詳細に説明する。
【００１６】
図１は、本発明の一実施例にかかる誘導線の断線検出装置の一例を示している。
【００１７】
同図において、長さＬ０の誘導線１は、例えば、ゴルフコースに敷設されたゴルフカート軌道施設に埋設されており、その一方の端部（始点）は、セレクタ２の切換接点２ａ，２ｂに接続されており、他方の端部（終点）は、セレクタ３の切換接点３ａ，３ｃに接続されている。
【００１８】
セレクタ２は、３接点切換のものであり、その切換接点２ｃは、接地されている。また、セレクタ３は、３接点切換のものであり、その切換接点３ｂは、接地されている。また、セレクタ２およびセレクタ３は、連動して動作するものである。
【００１９】
発振器４は、誘導線１に供給する誘導交流信号を発生するものであり、その一方の出力端は、電流計５を介して、セレクタ２の共通接点２ｄに加えられており、他方の出力端は、セレクタ３の共通接点３ｄに加えられている。
【００２０】
制御部６は、この断線検出装置の動作を制御するためのものであり、操作表示部７は、断線検出時にその検出した断線位置などを表示するためのものである。
【００２１】
図２（ａ）は、操作表示部７の構成例を示している。
【００２２】
この場合、故障地点がゴルフコースのインコースであるかアウトコースであるかをあらわす「ＩＮ」、「ＯＵＴ」の表示器、始点から断線位置までの距離を表示する表示器、および、終点から断線位置までの距離を表示する表示器からなる。
【００２３】
例えば、インコースで始点から２８１６ｍかつ終点から１１２３ｍの位置で断線が発生した場合には、同図（ｂ）に示したような内容が表示される。
【００２４】
図３（ｂ）は、操作表示部７の他の構成例を示している。
【００２５】
この場合、故障地点のホール番号を表示する表示器と、当該ホールのどの辺り（ティー、グリーン、ティーとグリーンの中間）であるかを表示する表示器からなる。例えば、１４番ホールのティーの近くで断線が発生した場合には、同図（ｂ）に示したような内容が表示される。
【００２６】
また、このようにホール番号と当該ホールのどの辺りであるかを表示するためには、各ホール番号についてティーやグリーンのゴルフカート軌道の始点からの距離を記憶しておく必要がある。
【００２７】
以上の構成で、通常は、図１に示すように、セレクタ２，３は、それぞれ切換接点２ａ，３ａを選択している。これにより、発振器４の一方の出力端、電流計５、セレクタ２の共通接点２ｄ、切換接点２ａ、誘導線１の始点、誘導線１、誘導線１の終点、セレクタ３の切換接点３ａ、共通接点３ｄ、および、発振器５の他方の出力端を接続する交流回路が形成される。
【００２８】
これにより、誘導線１には、発振器４から出力される所定の誘導交流信号（例えば、１．５ＫＨｚ、３００ｍＡ）が印加され、ゴルフカートの誘導が行われる。
【００２９】
ここで、誘導線１のいずれかの場所で切断が発生すると、上述したような交流回路が形成されなくなるので、電流計５の測定値が異常値（例えば、「０」または不定値）となる。
【００３０】
このように、電流計５の測定値が異常値になったことを検出すると、制御部６は、発振器４を定電圧モードで動作するとともに、図４に示すように、セレクタ２，３をそれぞれ切換接点２ｂ、３ｂ側へと切換えて、そのときの電流計５の測定値Ｉａを検出する。
【００３１】
この場合、発振器４の一方の出力端は、電流計５、セレクタ２の共通接点２ｄ、および、切換接点２ｂを介して誘導線１の始点へ接続される。それとともに、発振器４の他方の出力端は、セレクタ３の共通接点３ｄおよび切換接点３ｂを介して接地へ接続される。
【００３２】
それにより、例えば、切断箇所ＢＫが、誘導線１の始点から距離Ｌ１でかつ終点から距離Ｌ２の位置であった場合、このときには、発振器４の他方の出力端が接地レベルに接続されているので、始点から切断箇所ＢＫの誘導線１の部分（以下、「始点−切断箇所」部分という）が、発振器４から見ると静電性の負荷になる。
【００３３】
したがって、「始点−切断箇所」部分が接地に対して有する静電容量に対応した電流が、発振器４の負荷に流れ、その負荷電流に対応した測定値（Ｉａ）が、電流計５から得られる。
【００３４】
次に、制御部６は、図５に示すように、セレクタ２，３をそれぞれ切換接点２ｃ、３ｃ側へと切換えて、そのときの電流計５の測定値Ｉｂを検出する。
【００３５】
この場合、発振器４の一方の出力端は、電流計５、セレクタ２の共通接点２ｄ、および、切換接点２ｃを介して接地へ接続される。それとともに、発振器４の他方の出力端は、セレクタ３の共通接点３ｄおよび切換接点３ｃを介して、誘導線１の終点へ接続される。
【００３６】
それにより、発振器４の一方の出力端が接地レベルに接続されているので、終点から切断箇所ＢＫの誘導線１の距離Ｌ２の部分（以下、「終点−切断箇所」部分という）が、発振器４から見ると静電性の負荷になる。
【００３７】
したがって、「終点−切断箇所」部分が接地に対して有する静電容量に対応した電流が、発振器４の負荷に流れ、その負荷電流に対応した測定値（Ｉｂ）が、電流計５から得られる。
【００３８】
次に、制御部６は、測定した電流値Ｉａ，Ｉｂ、および、誘導線１の長さＬ０に基づいて、次の式（Ｉ），（ＩＩ）に基づいて、誘導線１における始点から切断箇所ＢＫまでの距離Ｌ１、および、終点から切断箇所ＢＫまでの距離Ｌ２を算出し、操作表示部７で適宜に表示する。
【００３９】
Ｌ１＝（Ｉａ／（Ｉａ＋Ｉｂ））＊Ｌ０          ・・・（Ｉ）
【００４０】
Ｌ２＝（Ｉｂ／（Ｉａ＋Ｉｂ））＊Ｌ０          ・・・（ＩＩ）
【００４１】
図６は、この場合の制御部６の処理の一例を示している。
【００４２】
まず、発振器４をオンして交流信号を発生させ、誘導線１に所定の誘導交流信号を印加する（処理１０１）。そして、この状態で、電流計５の測定値を検出して、異常値になったかどうかを調べる（判断１０２のＮＯループ）。
【００４３】
電流計５の測定値が異常値になった場合で、判断１０２の結果がＹＥＳになると、制御部６は、まず、発振器４を定電圧モードで動作させ、セレクタ２，３をそれぞれ切換接点２ｂ、３ｂ側へ切り換えて、そのときの電流計５の測定値を電流値Ｉａとして測定する（処理１０３）。
【００４４】
次いで、セレクタ２，３をそれぞれ切換接点２ｃ、３ｃ側へ切り換えて、そのときの電流計５の測定値を電流値Ｉｂとして測定する（処理１０４）。
【００４５】
そして、上述した式（Ｉ），（ＩＩ）に基づいて、誘導線１の始点から切断箇所ＢＫまでの距離Ｌ１、および、終点から切断箇所までの距離Ｌ２を算出し（処理１０５）、その算出した結果に基づいて、操作表示部７に故障地点を表示する（処理１０６）。
【００４６】
このようにして、本実施例では、誘導線１に切断事故が発生した場合、その事故が発生した位置を適切に表示することができるので、保守作業を行う際、その表示に基づいて、誘導線１の切断位置を容易に探し出すことができることとなり、非常に便利である。
【００４７】
図７は、本発明の他の実施例にかかる誘導線の断線検出装置を示している。なお、同図において、図１と同一部分および相当する部分には、同一符号を付している。
【００４８】
同図において、発振器４の一方の出力端は、電流計５ａを介して誘導線１の始点に接続されるとともに、電流計５ｂを介して、セレクタ１０の一方の切換接点１０ａに接続されている。
【００４９】
また、発振器４の他方の出力端は、セレクタ１０の他方の切換接点１０ｂに接続されるとともに、セレクタ１１の一方の切換接点１１ａに接続されている。
【００５０】
セレクタ１０の共通接点１０ｃは、誘導線１の終点に接続されている。また、セレクタ１１の他方の切換接点１１ｂは、非接続されており、共通接点１１ｃは接地レベルへ接続されている。
【００５１】
また、セレクタ１０とセレクタ１１は、連動している。また、制御部６は、電流計５ａ，５ｂの測定値を検出して適宜に監視するとともに、セレクタ１０，１１の動作を制御する。
【００５２】
以上の構成で、通常は、制御部６は、図７に示すようにセレクタ１０，１１をそれぞれ切換接点１０ｂ，１１ｂ側へ接続している。それにより、発振器４の一方の出力端、電流計５ａ、誘導線１、セレクタ１０の共通接点１０ｃ、切換接点１０ｂ、および、発振器４の他方の出力端が接続されて、交流回路が形成される。
【００５３】
これにより、誘導線１には、発振器４から出力される所定の誘導交流信号（例えば、１．５ＫＨｚ、３００ｍＡ）が印加され、ゴルフカートの誘導が行われる。
【００５４】
ここで、誘導線１のいずれかの場所で切断が発生すると、上述したような交流回路が形成されなくなるので、電流計５ａの測定値が異常値（例えば、「０」または不定値）となる。
【００５５】
このように、電流計５ａの測定値が異常値になったことを検出すると、制御部６は、発振器４を定電圧モードで動作するとともに、図８に示すように、セレクタ１０，１１をそれぞれ切換接点１０ａ，１１ａ側へと切換えて、そのときの電流計５ａ，５ｂの測定値Ｉａ，Ｉｂを検出する。
【００５６】
この場合、発振器４の一方の出力端は、電流計５ａを介して誘導線１の始点へ接続されるとともに、電流計５ｂ、セレクタ１０の切換接点１０ａ、共通接点１０ｃを介して誘導線１の終点へと接続される。また、発振器４の他方の出力端は、セレクタ１１の切換接点１１ａ、共通接点１１ｃを介して接地へ接続される。
【００５７】
それにより、例えば、切断箇所ＢＫが、誘導線１の始点から距離Ｌ１でかつ終点から距離Ｌ２の位置であった場合、始点から切断箇所ＢＫの誘導線１の部分（以下、「始点−切断箇所」部分という）、および、終点から切断箇所ＢＫの誘導線１の部分（以下、「終点−切断箇所」部分という）は、それぞれ、発振器４から見ると静電性の負荷になる。
【００５８】
したがって、「始点−切断箇所」部分が接地に対して有する静電容量に対応した電流が、発振器４の負荷に流れ、その負荷電流に対応した測定値（Ｉａ）が、電流計５ａから得られるとともに、「終点−切断箇所」部分が接地に対して有する静電容量に対応した電流が、発振器４の負荷に流れ、その負荷電流に対応した測定値（Ｉｂ）が、電流計５ｂから得られる
【００５９】
次に、制御部６は、測定した電流値Ｉａ，Ｉｂ、および、誘導線１の長さＬ０に基づいて、上述した式（Ｉ），（ＩＩ）を演算し、誘導線１における始点から切断箇所ＢＫまでの距離Ｌ１、および、終点から切断箇所ＢＫまでの距離Ｌ２を算出し、操作表示部７で適宜に表示する。
【００６０】
このようにして、本実施例では、２つの電流計５ａ，５ｂを用いて「始点−切断箇所」部分および「終点−切断箇所」部分の静電容量負荷に対応した電流値を測定することができるので、断線位置（故障位置）をより迅速に検出することができる。
【００６１】
図９は、本発明のさらに他の実施例にかかる誘導線の断線検出装置の構成を示している。なお、同図において、図１と同一部分および相当する部分には、同一符号を付している。
【００６２】
同図において、長さＬ０の誘導線１は、例えば、ゴルフコースに敷設されたゴルフカート軌道施設に埋設されており、その一方の端部（始点）は、セレクタ２の切換接点２ａ，２ｂに接続されており、他方の端部（終点）は、セレクタ３の切換接点３ａ，３ｃに接続されている。
【００６３】
セレクタ２は、３接点切換のものであり、その切換接点２ｃは、接地されている。また、セレクタ３は、３接点切換のものであり、その切換接点３ｂは、接地されている。また、セレクタ２およびセレクタ３は、連動して動作するものである。
【００６４】
発振器４は、誘導線１に供給する誘導交流信号を発生するものであり、その一方の出力端は、電流計５を介して、セレクタ２の共通接点２ｄに加えられており、他方の出力端は、セレクタ３の共通接点３ｄに加えられている。
【００６５】
制御部６は、この断線検出装置の動作を制御するためのものであり、操作表示部７は、断線検出時にその検出した断線位置などを表示するためのものである。
【００６６】
また、電圧計１５は、セレクタ２の共通接点２ｄとセレクタ３の共通接点３ｄの間の電圧を測定するものであり、その測定値は、制御部６に出力されている。
【００６７】
以上の構成で、通常は、図９に示すように、セレクタ２，３は、それぞれ切換接点２ａ，３ａを選択している。これにより、発振器４の一方の出力端、電流計５、セレクタ２の共通接点２ｄ、切換接点２ａ、誘導線１の始点、誘導線１、誘導線１の終点、セレクタ３の切換接点３ａ、共通接点３ｄ、および、発振器５の他方の出力端を接続する交流回路が形成される。
【００６８】
これにより、誘導線１には、発振器４から出力される所定の誘導交流信号（例えば、１．５ＫＨｚ、３００ｍＡ）が印加され、ゴルフカートの誘導が行われる。
【００６９】
ここで、誘導線１のいずれかの場所で切断が発生すると、上述したような交流回路が形成されなくなるので、電流計５の測定値が異常値（例えば、「０」または不定値）となる。
【００７０】
このように、電流計５の測定値が異常値になったことを検出すると、制御部６は、図１０に示すように、セレクタ２，３をそれぞれ切換接点２ｂ、３ｂ側へと切換えて、そのときの電流計５の測定値Ｉａを検出する。また、そのときの電圧計１５の測定値Ｖａを検出する。
【００７１】
この場合、発振器４の一方の出力端は、電流計５、セレクタ２の共通接点２ｄ、および、切換接点２ｂを介して誘導線１の始点へ接続される。それとともに、発振器４の他方の出力端は、セレクタ３の共通接点３ｄおよび切換接点３ｂを介して接地へ接続される。
【００７２】
それにより、例えば、切断箇所ＢＫが、誘導線１の始点から距離Ｌ１でかつ終点から距離Ｌ２の位置であった場合、このときには、発振器４の他方の出力端が接地レベルに接続されているので、始点から切断箇所ＢＫの誘導線１の部分（以下、「始点−切断箇所」部分という）が、発振器４から見ると静電性の負荷になる。
【００７３】
したがって、「始点−切断箇所」部分が接地に対して有する静電容量に対応した電流が、発振器４の負荷に流れ、その負荷電流に対応した測定値（Ｉａ）が、電流計５から得られる。それとともに、発振器４の静電容量負荷に対応した電圧（Ｖａ）が電圧計５から得られる。
【００７４】
次に、制御部６は、図１１に示すように、セレクタ２，３をそれぞれ切換接点２ｃ、３ｃ側へと切換えて、そのときの電流計５の測定値Ｉｂを検出する。また、そのときの電圧計１５の測定値Ｖｂを検出する。
【００７５】
この場合、発振器４の一方の出力端は、電流計５、セレクタ２の共通接点２ｄ、および、切換接点２ｃを介して接地へ接続される。それとともに、発振器４の他方の出力端は、セレクタ３の共通接点３ｄおよび切換接点３ｃを介して、誘導線１の終点へ接続される。
【００７６】
それにより、発振器４の一方の出力端が接地レベルに接続されているので、終点から切断箇所ＢＫの誘導線１の距離Ｌ２の部分（以下、「終点−切断箇所」部分という）が、発振器４から見ると静電性の負荷になる。
【００７７】
したがって、「終点−切断箇所」部分が接地に対して有する静電容量に対応した電流が、発振器４の負荷に流れ、その負荷電流に対応した測定値（Ｉｂ）が、電流計５から得られる。それとともに、発振器４の静電容量負荷に対応した電圧（Ｖｂ）が電圧計５から得られる。
【００７８】
次に、制御部６は、測定した電流値Ｉａ，Ｉｂ、電圧値Ｖａ，Ｖｂ、および、誘導線１の長さＬ０に基づいて、次の式（ＩＩＩ），（ＩＶ）に基づいて、誘導線１における始点から切断箇所ＢＫまでの距離Ｌ１、および、終点から切断箇所ＢＫまでの距離Ｌ２を算出し、操作表示部７で適宜に表示する。
【００７９】
Ｌ１＝（（Ｉａ／Ｖａ）／（（Ｉａ／Ｖａ）＋（Ｉｂ／Ｖｂ）））＊Ｌ０          ・・・（ＩＩＩ）
【００８０】
Ｌ２＝（（Ｉｂ／Ｖｂ）／（（Ｉａ／Ｖａ）＋（Ｉｂ／Ｖｂ）））＊Ｌ０          ・・・（ＩＶ）
【００８１】
図１２は、この場合の制御部６の処理の一例を示している。
【００８２】
まず、発振器４をオンして交流信号を発生させ、誘導線１に所定の誘導交流信号を印加する（処理２０１）。そして、この状態で、電流計５の測定値を監視して、異常値になったかどうかを調べる（判断２０２のＮＯループ）。
【００８３】
電流計５の測定値が異常値になった場合で、判断２０２の結果がＹＥＳになると、制御部６は、セレクタ２，３をそれぞれ切換接点２ｂ、３ｂ側へ切り換えて、そのときの電流計５の測定値を電流値Ｉａとして測定するとともに電圧計１５の測定値を電圧値Ｖａとして測定する（処理２０３）。
【００８４】
次いで、セレクタ２，３をそれぞれ切換接点２ｃ、３ｃ側へ切り換えて、そのときの電流計５の測定値を電流値Ｉｂとして測定する電圧計１５の測定値を電圧値Ｖｂとして測定する（処理１０４）。
【００８５】
そして、上述した式（ＩＩＩ），（ＩＶ）に基づいて、誘導線１の始点から切断箇所ＢＫまでの距離Ｌ１、および、終点から切断箇所までの距離Ｌ２を算出し（処理２０５）、その算出した結果に基づいて、操作表示部７に故障地点を表示する（処理２０６）。
【００８６】
このようにして、本実施例では、誘導線１に切断事故が発生した場合、その事故が発生した位置を適切に表示することができるので、保守作業を行う際、その表示に基づいて、誘導線１の切断位置を容易に探し出すことができることとなり、非常に便利である。
【図面の簡単な説明】
【００８７】
【図１】本発明の一実施例にかかる誘導線の断線検出装置の一例を示したブロック図。
【図２】操作表示部７の構成の一例を示した概略図。
【図３】操作表示部７の構成の他の例を示した概略図。
【図４】図１の装置における電流測定動作の一例を説明するためのブロック図。
【図５】図１の装置における電流測定動作の他の例を説明するためのブロック図。
【図６】図１の装置の動作を説明するためのフローチャート。
【図７】本発明の他の実施例にかかる誘導線の断線検出装置の一例を示したブロック図。
【図８】図７の装置における電流測定動作の一例を説明するためのブロック図。
【図９】本発明のさらに他の実施例にかかる誘導線の断線検出装置の一例を示したブロック図。
【図１０】図９の装置における電流測定動作の一例を説明するためのブロック図。
【図１１】図９の装置における電流測定動作の他の例を説明するためのブロック図。
【図１２】図９の装置の動作を説明するためのフローチャート。
【符号の説明】
【００８８】
１  誘導線
２，３，１０，１１  セレクタ
４  発振器
５，５ａ，５ｂ  電流計
６  制御部
７  操作表示部
１５  電圧計
【図１】
2005109818.tif 000003
【図２】
2005109818.tif 000004
【図３】
2005109818.tif 000005
【図４】
2005109818.tif 000006
【図５】
2005109818.tif 000007
【図６】
2005109818.tif 000008
【図７】
2005109818.tif 000009
【図８】
2005109818.tif 000010
【図９】
2005109818.tif 000011
【図１０】
2005109818.tif 000012
【図１１】
2005109818.tif 000013
【図１２】
2005109818.tif 000014